【手続補正書】
【提出日】平成26年5月8日(2014.5.8)
【手続補正１】
【補正対象書類名】明細書
【補正対象項目名】００１２
【補正方法】変更
【補正の内容】
【００１２】
本技術の第１の側面の固体撮像装置は、レンズにより取り込まれた光を光電変換する固体撮像素子と、前記レンズから固体撮像素子に入射する光の一部を遮光する遮光部材とを備え、前記遮光部材の縁面の、前記レンズの光軸方向に対してなす角度は、前記遮光部材の縁部に入射する光の入射角より大きい。
【手続補正２】
【補正対象書類名】明細書
【補正対象項目名】００１８
【補正方法】変更
【補正の内容】
【００１８】
前記遮光部材は、光路上に配置される光学フィルタに１回または複数回、印刷材料が印刷されることで形成されるようにすることができる。
前記遮光部材の縁面の、前記レンズの光軸方向に対してなす角度は、45°以上とされるようにすることができる。
前記レンズと前記固体撮像素子との間の光路上に配置される光学フィルタをさらに設け、前記遮光部材は、前記光学フィルタの前記固体撮像素子側の面に貼りつけられるようにすることができる。
前記固体撮像素子の受光面を除く周縁部に配置されるボンディングパッドをさらに設け、前記遮光部材の縁面の、レンズの光軸方向に対してなす角度θＭ、上光線の入射角θＵ、受光面の端部と前記ボンディングパッドとの距離Ｄ、前記遮光部材の設計上の位置からの最大誤差σ、および前記光学フィルタと前記固体撮像装置とのギャップ長Ｇは、θＭ＞arctan［tanθＵ＋｛（Ｄ−２σ）／Ｇ｝］を満たすようにすることができる。
【手続補正３】
【補正対象書類名】明細書
【補正対象項目名】００１９
【補正方法】変更
【補正の内容】
【００１９】
本技術の第１の側面においては、遮光部材の縁面の、レンズの光軸方向に対してなす角度が、遮光部材の縁部に入射する光の入射角より大きくされる。
本技術の第２の側面の固体撮像装置は、レンズにより取り込まれた光を光電変換する固体撮像素子と、前記レンズから固体撮像素子に入射する光の一部を遮光する遮光部材とを備え、前記遮光部材は、前記固体撮像素子側の開口が前記レンズ側の開口より大きい開口部を有し、前記遮光部材の前記開口部の縁面には、前記レンズの光軸方向に対して所定の角度がつけられている。
本技術の第２の側面においては、遮光部材の開口部の縁面に、レンズの光軸方向に対して所定の角度がつけられている。
本技術の第３の側面の固体撮像装置は、レンズにより取り込まれた光を光電変換する固体撮像素子と、前記レンズから固体撮像素子に入射する光の一部を遮光する遮光部材とを備え、前記遮光部材は、開口部を有し、前記遮光部材は、前記開口部の縁部から所定の範囲が、前記固体撮像素子側に所定の角度で折り曲げられている。
本技術の第３の側面においては、遮光部材の開口部の縁部から所定の範囲が、固体撮像素子側に所定の角度で折り曲げられている。
【手続補正４】
【補正対象書類名】明細書
【補正対象項目名】００２０
【補正方法】変更
【補正の内容】
【００２０】
本技術の第１乃至第３の側面によれば、フレアやゴーストの発生を抑制することが可能となる。
【手続補正５】
【補正対象書類名】明細書
【補正対象項目名】００２４
【補正方法】変更
【補正の内容】
【００２４】
図２の固体撮像装置は、光学センサとしてのCMOS（Complementary Metal Oxide Semiconductor）イメージセンサ１０（以下、単に、イメージセンサ１０という）、イメージセンサ１０と図示せぬ基板とを電気的に接続する金線１１、図示せぬ基板に実装される受動部品１２、および図示せぬレンズからイメージセンサ１０に入射する光の一部を遮光する遮光部材１３から構成される。
【手続補正６】
【補正対象書類名】明細書
【補正対象項目名】００８５
【補正方法】変更
【補正の内容】
【００８５】
また、ガラス層３１１の下面（イメージセンサ１１０側の面）には、遮光部材３１２が貼りつけられている。遮光部材３１２は、上述した遮光部材１３１と同等の材料および形状で形成される。
【手続補正７】
【補正対象書類名】明細書
【補正対象項目名】００８７
【補正方法】変更
【補正の内容】
【００８７】
なお、製造工程においては、ガラス層３１１の下面に遮光部材３１２が貼り付けられた後、ウエハレベルでイメージセンサ１１０に対して遮光部材３１２の位置決めを行い、ガラス層３１１を、樹脂層３１３とともにイメージセンサ１１０に貼り合わせる。そして、イメージセンサ１１０において、チップの前面と裏面との間を貫通させるTSV（Through Silicon Via）加工を行い、CSP（Chip Scale Package）化を行う。
【手続補正８】
【補正対象書類名】明細書
【補正対象項目名】００９０
【補正方法】変更
【補正の内容】
【００９０】
また、図１４の固体撮像装置においては、遮光部材３１２の幅（図中、横方向の長さ）は、ガラス層３１１および樹脂層３１３の側面と、遮光部材３１２の縁面の仮想延長面とが交わらないように設計されている。すなわち、遮光部材３１２の開口部の縁部を通過した下光線が、ガラス層３１１および樹脂層３１３の側面に反射することはない。
【手続補正９】
【補正対象書類名】明細書
【補正対象項目名】０１２８
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
レンズにより取り込まれた光を光電変換する固体撮像素子と、
前記レンズから固体撮像素子に入射する光の一部を遮光する遮光部材と
を備え、
前記遮光部材の縁面の、前記レンズの光軸方向に対してなす角度は、前記遮光部材の縁部に入射する光の入射角より大きい
固体撮像装置。
【請求項２】
前記遮光部材の縁面の、前記レンズの光軸方向に対してなす角度は、前記遮光部材の縁部に入射する光のうちの、入射角が最も大きい光の前記入射角より大きい
請求項１に記載の固体撮像装置。
【請求項３】
前記固体撮像素子の受光面の周縁部には、基板に接続される金線が接続されるパッドが設けられ、
前記パッドは、前記固体撮像素子上の、前記遮光部材の縁面の仮想延長面と交わる領域より受光面側には配置されない
請求項１または２に記載の固体撮像装置。
【請求項４】
前記固体撮像素子の受光面は、開口部を有する基板の前記開口部から入射される光を受光し、
前記開口部の縁面は、前記遮光部材の縁面の仮想延長面と交わらない
請求項１または２に記載の固体撮像装置。
【請求項５】
前記固体撮像素子の受光面上の空隙を封止する封止部材をさらに備え、
前記遮光部材は、前記封止部材の前記レンズ側の面または前記固体撮像素子側の面に設けられる
請求項３または４に記載の固体撮像装置。
【請求項６】
前記封止部材の側面は、前記遮光部材の縁面の仮想延長面と交わらない
請求項５に記載の固体撮像装置。
【請求項７】
前記遮光部材は、光路上に配置される光学フィルタに１回または複数回、印刷材料が印刷されることで形成される
請求項２に記載の固体撮像装置。
【請求項８】
前記遮光部材の縁面の、前記レンズの光軸方向に対してなす角度は、45°以上とされる
請求項１に記載の固体撮像装置。
【請求項９】
前記遮光部材は、反射防止膜により形成される
請求項１に記載の固体撮像装置。
【請求項１０】
前記遮光部材は、黒色に着色されてなる
請求項９に記載の固体撮像装置。
【請求項１１】
前記遮光部材は、UV硬化性または熱硬化性を有する
請求項１０に記載の固体撮像装置。
【請求項１２】
前記遮光部材は、カーボンフィラー、染料で黒色化したエポキシ樹脂、アクリル樹脂、またはエポキシ−アクリル混合型の樹脂により形成される
請求項１１に記載の固体撮像装置。
【請求項１３】
前記レンズと前記固体撮像素子との間の光路上に配置される光学フィルタをさらに備え、
前記遮光部材は、前記光学フィルタの前記固体撮像素子側の面に貼りつけられる
請求項２に記載の固体撮像装置。
【請求項１４】
前記光学フィルタは、IRCF（Infrared Ray Cut Filter）である
請求項１３に記載の固体撮像装置。
【請求項１５】
前記固体撮像素子の受光面を除く周縁部に配置されるボンディングパッドをさらに備え、
前記遮光部材の縁面の、レンズの光軸方向に対してなす角度θＭ、上光線の入射角θＵ、受光面の端部と前記ボンディングパッドとの距離Ｄ、前記遮光部材の設計上の位置からの最大誤差σ、および前記光学フィルタと前記固体撮像装置とのギャップ長Ｇは、
θＭ＞arctan［tanθＵ＋｛（Ｄ−２σ）／Ｇ｝］
を満たす
請求項１３に記載の固体撮像装置。
【請求項１６】
前記封止部材は、光を透過する透明な材料により形成される
請求項５に記載の固体撮像装置。
【請求項１７】
前記封止部材は、ガラスおよび樹脂の少なくともいずれかにより形成される
請求項１６に記載の固体撮像装置。
【請求項１８】
レンズにより取り込まれた光を光電変換する固体撮像素子と、
前記レンズから固体撮像素子に入射する光の一部を遮光する遮光部材と
を備え、
前記遮光部材は、前記固体撮像素子側の開口が前記レンズ側の開口より大きい開口部を有し、
前記遮光部材の前記開口部の縁面には、前記レンズの光軸方向に対して所定の角度がつけられている
固体撮像装置。
【請求項１９】
前記遮光部材の縁面の、前記レンズの光軸方向に対してなす角度は、前記遮光部材の縁部に入射する光のうちの、入射角が最も大きい光の前記入射角より大きい
請求項１８に記載の固体撮像装置。
【請求項２０】
前記固体撮像素子の受光面の周縁部には、基板に接続される金線が接続されるパッドが設けられ、
前記パッドは、前記固体撮像素子上の、前記遮光部材の縁面の仮想延長面と交わる領域より受光面側には配置されない
請求項１８または１９に記載の固体撮像装置。
【請求項２１】
前記固体撮像素子の受光面は、開口部を有する基板の前記開口部から入射される光を受光し、
前記開口部の縁面は、前記遮光部材の縁面の仮想延長面と交わらない
請求項１８または１９に記載の固体撮像装置。
【請求項２２】
前記固体撮像素子の受光面上の空隙を封止する封止部材をさらに備え、
前記遮光部材は、前記封止部材の前記レンズ側の面または前記固体撮像素子側の面に設けられる
請求項２０または２１に記載の固体撮像装置。
【請求項２３】
前記封止部材の側面は、前記遮光部材の縁面の仮想延長面と交わらない
請求項２２に記載の固体撮像装置。
【請求項２４】
前記遮光部材は、光路上に配置される光学フィルタに１回または複数回、印刷材料が印刷されることで形成される
請求項１９に記載の固体撮像装置。
【請求項２５】
前記遮光部材の縁面の、前記レンズの光軸方向に対してなす角度は、45°以上とされる
請求項１８に記載の固体撮像装置。
【請求項２６】
前記遮光部材は、反射防止膜により形成される
請求項１８に記載の固体撮像装置。
【請求項２７】
前記遮光部材は、黒色に着色されてなる
請求項２６に記載の固体撮像装置。
【請求項２８】
前記遮光部材は、UV硬化性または熱硬化性を有する
請求項２６に記載の固体撮像装置。
【請求項２９】
前記遮光部材は、カーボンフィラー、染料で黒色化したエポキシ樹脂、アクリル樹脂、またはエポキシ−アクリル混合型の樹脂により形成される
請求項２８に記載の固体撮像装置。
【請求項３０】
前記レンズと前記固体撮像素子との間の光路上に配置される光学フィルタをさらに備え、
前記遮光部材は、前記光学フィルタの前記固体撮像素子側の面に貼りつけられる
請求項１８に記載の固体撮像装置。
【請求項３１】
前記光学フィルタは、IRCF（Infrared Ray Cut Filter）である
請求項３０に記載の固体撮像装置。
【請求項３２】
前記固体撮像素子の受光面を除く周縁部に配置されるボンディングパッドをさらに備え、
前記遮光部材の縁面の、レンズの光軸方向に対してなす角度θＭ、上光線の入射角θＵ、受光面の端部と前記ボンディングパッドとの距離Ｄ、前記遮光部材の設計上の位置からの最大誤差σ、および前記光学フィルタと前記固体撮像装置とのギャップ長Ｇは、
θＭ＞arctan［tanθＵ＋｛（Ｄ−２σ）／Ｇ｝］
を満たす
請求項３０に記載の固体撮像装置。
【請求項３３】
前記封止部材は、光を透過する透明な材料により形成される
請求項２１に記載の固体撮像装置。
【請求項３４】
前記封止部材は、ガラスおよび樹脂の少なくともいずれかにより形成される
請求項３３に記載の固体撮像装置。
【請求項３５】
レンズにより取り込まれた光を光電変換する固体撮像素子と、
前記レンズから固体撮像素子に入射する光の一部を遮光する遮光部材と
を備え、
前記遮光部材は、開口部を有し、
前記遮光部材の前記開口部の縁部から所定の範囲が、前記固体撮像素子側に所定の角度で折り曲げられている
固体撮像装置。
【請求項３６】
前記遮光部材の縁面の、前記レンズの光軸方向に対してなす角度は、前記遮光部材の縁部に入射する光の入射角より大きい
請求項３５に記載の固体撮像装置。
【請求項３７】
前記遮光部材の縁面の、前記レンズの光軸方向に対してなす角度は、前記遮光部材の縁部に入射する光のうちの、入射角が最も大きい光の前記入射角より大きい
請求項３６に記載の固体撮像装置。
【請求項３８】
前記固体撮像素子の受光面の周縁部には、基板に接続される金線が接続されるパッドが設けられ、
前記パッドは、前記固体撮像素子上の、前記遮光部材の縁面の仮想延長面と交わる領域より受光面側には配置されない
請求項３６または３７に記載の固体撮像装置。
【請求項３９】
前記固体撮像素子の受光面は、開口部を有する基板の前記開口部から入射される光を受光し、
前記開口部の縁面は、前記遮光部材の縁面の仮想延長面と交わらない
請求項３６または３７に記載の固体撮像装置。
【請求項４０】
前記固体撮像素子の受光面上の空隙を封止する封止部材をさらに備え、
前記遮光部材は、前記封止部材の前記レンズ側の面または前記固体撮像素子側の面に設けられる
請求項３８または３９に記載の固体撮像装置。
【請求項４１】
前記封止部材の側面は、前記遮光部材の縁面の仮想延長面と交わらない
請求項４０に記載の固体撮像装置。
【請求項４２】
前記遮光部材の縁面の、前記レンズの光軸方向に対してなす角度は、45°以上とされる
請求項３６に記載の固体撮像装置。
【請求項４３】
前記遮光部材は、反射防止膜により形成される
請求項３５に記載の固体撮像装置。
【請求項４４】
前記封止部材は、光を透過する透明な材料により形成される
請求項４０に記載の固体撮像装置。
【請求項４５】
前記封止部材は、少なくともガラスおよび樹脂のいずれかにより形成される
請求項４４に記載の固体撮像装置。